(57)【要約】【課題】フォーカルプレンシャッタにおいて、シャッタ羽根動作時に摩擦により発生する摩耗粉やゴミが撮像部に付着することを抑制可能な構成とする。【解決手段】フォーカルプレンシャッタにおいて、第１開口部を有する第１地板と、前記第１開口部に対向する位置に第２開口部を有する第２地板と、前記第１地板と前記第２地板との間に配置され、前記第１開口部及び前記第２開口部を覆う状態と開放する状態とを切り替える羽根と、前記羽根を駆動する駆動レバーと、前記駆動レバー及び前記羽根と連結具で連結されたアームと、を備え、前記第１地板及び前記第２地板の少なくとも一方は、前記第１地板及び前記第２地板の他方側の面であって、平面視において前記連結具の移動軌跡に沿って、前記移動軌跡の側方に配置された粘着部材を有する構成とする。【選択図】図１
2019066686.tif 000002
【特許請求の範囲】
【請求項１】
第１開口部を有する第１地板と、
前記第１開口部に対向する位置に第２開口部を有する第２地板と、
前記第１地板と前記第２地板との間に配置され、前記第１開口部及び前記第２開口部を覆う状態と開放する状態とを切り替える羽根と、
前記羽根を駆動する駆動レバーと、
前記駆動レバー及び前記羽根と連結具で連結されたアームと、を備え、
前記第１地板及び前記第２地板の少なくとも一方は、前記第１地板及び前記第２地板の他方側の面であって、平面視において前記連結具の移動軌跡に沿って、前記移動軌跡の側方に配置された粘着部材を有する、
フォーカルプレンシャッタ。
【請求項２】
前記粘着部材は、前記第１地板及び前記第２地板の少なくとも一方に形成された溝部に配置される、
請求項１に記載のフォーカルプレンシャッタ。
【請求項３】
前記粘着部材は、前記溝部から突出しないよう配置される、
請求項１または請求項２に記載のフォーカルプレンシャッタ。
【請求項４】
前記粘着部材は、隣り合って配置された前記連結具の間に配置される、
請求項１から請求項３のいずれか１項に記載のフォーカルプレンシャッタ。
【請求項５】
前記粘着部材は、全ての前記連結具において、前記第１開口部及び第２開口部と干渉しない位置に配置される、
請求項１から請求項４のいずれか１項に記載のフォーカルプレンシャッタ。
【請求項６】
前記羽根が先羽根であって、
さらに後羽根を備える、
請求項１から請求項５に記載のフォーカルプレンシャッタ。
【請求項７】
前記羽根が後羽根であって、
さらに先羽根を備える、
請求項１から請求項５に記載のフォーカルプレンシャッタ。
【請求項８】
前記羽根は、先羽根及び後羽根を含み、
前記駆動レバーは、前記先羽根を駆動する先羽根駆動レバーと、前記後羽根を駆動する後羽根駆動レバーとを含み、
前記アームは、前記先羽根駆動レバー及び前記先羽根と先羽根用連結具で連結された先羽根用アームと、前記後羽根駆動レバー及び前記後羽根と後羽根用連結具で連結された後羽根用アームとを含み、
前記粘着部材は、前記先羽根用連結具の移動軌跡の側方と、前記後羽根用連結具の移動軌跡の側方とに配置される、
請求項１から請求項５のいずれか１項に記載のフォーカルプレンシャッタ。
【請求項９】
請求項１から請求項８のいずれか１項に記載のフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームの一端に連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。また、シャッタ以外の部材からもゴミが発生することがある。これらの摩耗粉及びゴミが撮像素子に付着すると、撮像結果の品質が低下する原因となる。このような摩耗粉及びゴミへの対策を施した構成として、例えば特許文献１及び特許文献２には、摩耗粉及びゴミが撮像面に飛来することを防止するために粘着シートを利用したカメラ用フォーカルプレンシャッタが開示されている。
【先行技術文献】
【特許文献】
【０００３】
【特許文献１】特開２００４−３８１１７号公報
【特許文献２】特開２００３−２８００６６号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することを防止するための構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部を有する第１地板（１）と、
前記第１開口部に対向する位置に第２開口部を有する第２地板（２）と、
前記第１地板と前記第２地板との間に配置され、前記第１開口部及び前記第２開口部を覆う状態と開放する状態とを切り替える羽根（４、５）と、
前記羽根を駆動する駆動レバー（８１、８２）と、
前記駆動レバー及び前記羽根と連結具で連結されたアーム（６１、６２、７１、７２）と、を備え、
前記第１地板及び前記第２地板の少なくとも一方は、前記第１地板及び前記第２地板の他方側の面であって、平面視において前記連結具の移動軌跡に沿って、前記移動軌跡の側方に配置された粘着部材（９ａ〜９ｑ）を有する、
フォーカルプレンシャッタである。
【０００７】
上記構成のフォーカルプレンシャッタによれば、羽根の動作の際の摩擦などによって発生した摩耗粉やゴミなどの塵埃を、粘着部材により捕獲することが可能となる。これによって、塵埃が飛散して撮像素子に付着し、画質が低下することを防止することなどが可能となる。
【０００８】
上記フォーカルプレンシャッタにおいて、好ましくは、
前記粘着部材は、前記第１地板及び前記第２地板の少なくとも一方に形成された溝部に配置される。
【０００９】
上記構成のフォーカルプレンシャッタによれば、溝部に粘着部材を配置しているため、粘着部材が他の部材に付着することを抑制することなどが可能となる。
【００１０】
上記フォーカルプレンシャッタにおいて、好ましくは、
前記粘着部材は、前記溝部から突出しないよう配置される。
【００１１】
上記構成のフォーカルプレンシャッタによれば、粘着部材が他の部材に付着することを、より効果的に抑制することが可能となる。
【００１２】
上記フォーカルプレンシャッタにおいて、好ましくは、
前記粘着部材は、隣り合って配置された前記連結具の間に配置される。
【００１３】
上記構成のフォーカルプレンシャッタによれば、連結具の間に粘着部材を配置することで、これらの連結具が他の部材と摺動することなどで発生する塵埃を効果的に捕獲可能な構成とすることができる。
【００１４】
上記フォーカルプレンシャッタにおいて、好ましくは、
前記粘着部材は、全ての前記連結具において、前記第１開口部及び第２開口部と干渉しない位置に配置される。
【００１５】
上記構成のフォーカルプレンシャッタによれば、粘着部材を広い範囲で配置することで、より効果的に塵埃を捕獲可能な構成とすることができる。
【００１６】
上記フォーカルプレンシャッタにおいて、好ましくは、
前記羽根が先羽根であって、
さらに後羽根を備える。
【００１７】
または、上記フォーカルプレンシャッタにおいて、好ましくは、
前記羽根が後羽根であって、
さらに先羽根を備える。
【００１８】
上記構成のフォーカルプレンシャッタによれば、先羽根または後羽根の一方について、連結具の摺動などにより発生する塵埃を捕獲する構成とすることができる。
【００１９】
または、上記フォーカルプレンシャッタにおいて、好ましくは、
前記羽根は、先羽根及び後羽根を含み、
前記駆動レバーは、前記先羽根を駆動する先羽根駆動レバーと、前記後羽根を駆動する後羽根駆動レバーとを含み、
前記アームは、前記先羽根駆動レバー及び前記先羽根と先羽根用連結具で連結された先羽根用アームと、前記後羽根駆動レバー及び前記後羽根と後羽根用連結具で連結された後羽根用アームとを含み、
前記粘着部材は、前記先羽根用連結具の移動軌跡の側方と、前記後羽根用連結具の移動軌跡の側方とに配置される。
【００２０】
上記構成のフォーカルプレンシャッタによれば、先羽根及び後羽根の双方について、連結具の摺動などにより発生する塵埃を捕獲可能な構成とすることができる。
【００２１】
上記いずれかのフォーカルプレンシャッタは、カメラなどの撮像装置に好適に適用される。
【００２２】
上記のような撮像装置によれば、撮像素子などに摩耗粉やゴミなどが飛散することを抑制することが可能となる。これによって、撮像素子に摩耗粉やゴミなどが付着することを抑制することでき、撮像装置で撮像される画像の品質の低下を抑制することなどが可能となる。
【図面の簡単な説明】
【００２３】
【図１】図１は、フォーカルプレンシャッタの羽根走行前の状態の平面図である。
【図２】図２は、フォーカルプレンシャッタの羽根走行後の状態の平面図である。
【図３】図３は、連結具近傍のフォーカルプレンシャッタの断面図である。
【図４】図４は、先羽根及び後羽根を含む部分におけるフォーカルプレンシャッタの断面図である。
【図５】図５は、変形例における連結具近傍のフォーカルプレンシャッタの断面図である。
【図６】図６は、変形例におけるフォーカルプレンシャッタの羽根走行前の状態の平面図である。
【図７】図７は、変形例におけるフォーカルプレンシャッタの羽根走行前の状態の平面図である。
【発明を実施するための形態】
【００２４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．変形例
３．補足事項
【００２５】
＜１．実施形態＞
本発明のフォーカルプレンシャッタは、デジタルカメラなどの撮像装置で利用されるものであり、フォーカルプレンシャッタの動作などにより発生する摩耗粉やゴミなどの塵埃を捕獲するための構成に特徴のひとつがある。具体的には、本実施形態のフォーカルプレンシャッタは、地板及びカバー板の羽根室側であって、駆動レバー及び羽根とアームとを連結する連結具の移動軌跡の側方に、塵埃捕獲用の粘着剤が配置されている点を特徴のひとつとする。以下、具体的に説明する。
【００２６】
図１及び図２は、本実施形態のフォーカルプレンシャッタの平面図であって、図１は羽根走行前の状態を示し、図２は羽根走行後の状態を示している。図３は、本実施形態のフォーカルプレンシャッタにおける、連結具近傍の断面図である。図４は、先羽根及び後羽根を含む部分における、フォーカルプレンシャッタの断面図である。
【００２７】
図１〜図４に示されるように、本実施形態のフォーカルプレンシャッタは、地板１、カバー板２、中間板３、先羽根４、後羽根５、先羽根用アーム６１及び６２、後羽根用アーム７１及び７２、先羽根駆動レバー８１、後羽根駆動レバー８２、並びに粘着剤９ａ〜９ｍを含んで構成される。先羽根駆動レバー８１及び後羽根駆動レバー８２を総称して「駆動レバー」と称することがある。また、駆動レバーを含む、先羽根４及び後羽根５を駆動する構成を、「駆動部８」と称することがある。また、先羽根４及び後羽根５を総称して「羽根」と称することがある。
【００２８】
＜地板１＞
地板１は、フォーカルプレンシャッタの基板部分であって、矩形状の開口部１ａを有している。開口部１ａは、完全な矩形状でなくても良い。図１に示されるように、地板１の開口部１ａの側方位置（図の右側）には駆動部８が搭載される。なお、開口部１ａの形状は矩形に限らず、任意の形状を採用してもよい。開口部１ａは、本発明の「第１開口部」の一構成例である。
【００２９】
＜カバー板２＞
カバー板２は、地板１と対向する位置に、地板１に対して所定の間隔を空けて取り付けられる。カバー板２は、フォーカルプレンシャッタが搭載された撮像装置において、撮像素子に近い位置に配置される。ただし、撮像素子の位置に対する地板１及びカバー板２の向きは任意に変更可能である。地板１とカバー板２との間には、中間板３、先羽根４、後羽根５、先羽根用アーム６１及び６２、並びに後羽根用アーム７１及び７２が配置される。地板１とカバー板２とにより形成された空間、または地板１及びカバー板２と中間板３とにより形成された空間を羽根室と称することがある。カバー板２は、地板１の開口部１ａに対向する位置に形成された開口部２ａを有する。開口部２ａは、開口部１ａと類似の矩形状であるが、完全な矩形状ではなくても良いし、矩形以外の任意の形状であっても良い。開口部２ａは、本発明の「第２開口部」の一構成例である。
【００３０】
＜粘着剤９ａ〜９ｍ＞
図１及び図２に示されるように、粘着剤９ａ〜９ｍは、平面視において、先羽根用アーム６１及び６２、並びに後羽根用アーム７１及び７２と、駆動レバー及び羽根とを連結する連結具の移動軌跡に沿って、この移動軌跡の側方に配置される。つまり、粘着剤９ａ〜９ｍは、それぞれ対応する連結具の回転軸となる軸６１ａ、６２ａ、７１ａ、及び７１ｂを中心とした円弧状に配置される。粘着剤９ａ〜９ｍは、平面視において隣り合って配置された連結具の間に配置される。粘着剤９ａ〜９ｍは、互いに接触しないよう配置されるとともに、開口部１ａ及び２ａと干渉しないように（重なり合わないように）、開口部１ａ及び２ａから所定の距離をもって配置されている。
【００３１】
図３は、粘着剤９ａ〜９ｍの配置を示すため、粘着剤９ｂ、９ｃ、９ｊ、及び９ｋと、連結具６３及び７３などとの位置関係を示している。粘着剤９ｂ、９ｃ、９ｊ、及び９ｋ以外の粘着剤と連結具などとの位置関係も、以下で説明する粘着剤９ｂ、９ｃ、９ｊ、及び９ｋと、連結具６３及び７３などとの位置関係と同様である。粘着剤９ｂ、及び９ｃは、後羽根用アーム７１と後羽根５とを連結する連結具７３の側方に配置される。つまり、連結具７３の頭部と、粘着剤９ｂ及び９ｃとは、所定の距離をもって配置される。粘着剤９ｊ、及び９ｋも同様に、先羽根用アーム６１と先羽根４とを連結する連結具６３の側方に配置される。つまり、連結具６３の頭部と、粘着剤９ｊ及び９ｋとは、所定の距離をもって配置される。このような配置になっているため、粘着剤９ｂ、９ｃ、９ｊ、及び９ｋと、連結具６３及び７３とが接着してしまうことを防止できる。
【００３２】
図３において、粘着剤９ｂ、９ｃ、９ｊ、及び９ｋについて示されているように、粘着剤９ａ〜９ｍが配置された箇所に対応した地板１及びカバー板２の位置には、溝部（凹部）が形成される。すなわち、粘着剤９ａ〜９ｍは、地板１及びカバー板２の羽根室側の面に形成された溝部の底部に配置される。粘着剤９ａ〜９ｍは、この溝部から突出しないよう配置されており、他の部材と接着してしまったり、他の部材に粘着剤が飛散してしまったりすることが防止された構成となっている。
【００３３】
粘着剤９ａ〜９ｍは、例えば塵埃捕獲用の粘着テープなどのシート状の粘着剤であってもよいし、液体状の粘着剤であってもよい。また、塵埃を捕獲可能な、他の接着剤等を用いてもよい。粘着剤９ａ〜９ｍは、本発明の「粘着部材」の一構成例である。
【００３４】
＜中間板３＞
図４に示されるように、中間板３は、地板１とカバー板２との間に配置され、地板１との間と、カバー板２との間に、それぞれ後羽根５及び先羽根４を収容する。つまり、地板１と中間板３との間には後羽根５が配置され、カバー板２と中間板３との間には先羽根４が配置される。撮像装置に搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であっても良い。
【００３５】
＜先羽根４＞
先羽根４は、上記のようにカバー板２と中間板３との間に位置している。先羽根４は、複数の板状部材からなり、「先羽根群」と呼ばれることがある。先羽根４は、連結具６３を含むリベットなどの連結具を介して、先羽根用アーム６１及び６２に連結される。先羽根４は、先羽根用アーム６１及び６２を介して、先羽根駆動レバー８１により駆動され、開口部１ａ、２ａ及び３ａにより形成される露光開口を覆う状態と開放する状態と（開閉状態）を切り替える。先羽根４は、後羽根５よりも撮像素子に近い位置に配置されている。先羽根４及び後羽根５は、それぞれアルミニウムなどの金属、カーボンファイバー、または樹脂により形成される。なお、連結具６３は、本発明の「先羽根用連結具」の一構成例である。
【００３６】
＜後羽根５＞
後羽根５は、上記のように地板１と中間板３との間に位置している。後羽根５は、先羽根４と同様に複数の板状部材からなり、「後羽根群」と呼ばれることがある。後羽根５は、連結具７３を含むリベットなどの連結具を介して、２つの後羽根用アーム７１及び７２に連結される。後羽根５は、先羽根４とともに、後羽根用アーム７１及び７２を介して、後羽根駆動レバー８２により駆動され、開口部１ａ、２ａ及び３ａにより形成される露光開口を覆う状態と開放する状態とを切り替える。なお、連結具７３は、本発明の「後羽根用連結具」の一構成例である。
【００３７】
＜先羽根用アーム６１及び６２＞
先羽根用アーム６１及び６２は、先羽根駆動レバー８１と先羽根４との間に配置され、連結具６３を含む複数の連結具によって先羽根４に連結される。先羽根用アーム６１及び６２は、駆動部８で発生した駆動力を先羽根４に伝達する。より具体的には、先羽根用アーム６１は、地板１上に配置された軸６１ａ及び先羽根駆動レバー８１に連結される。先羽根用アーム６２は、地板１上に配置された軸６２ａに連結される。先羽根４が動作する際、連結具６３を含む複数の連結具は、軸６２ａを中心としてそれぞれ円弧状に移動する。
【００３８】
＜後羽根用アーム７１及び７２＞
後羽根用アーム７１及び７２は、後羽根駆動レバー８２と後羽根５との間に配置され、連結具７３を含む複数の連結具によって後羽根５に連結される。後羽根用アーム７１及び７２は、駆動部８で発生した駆動力を後羽根５に伝達する。より具体的には、後羽根用アーム７１は、地板１上に配置された軸７１ａ及び後羽根駆動レバー８２に連結される。後羽根用アーム７２は、地板１上に配置された軸７２ａに連結される。後羽根５が動作する際、連結具７３を含む複数の連結具は、軸７２ａを中心としてそれぞれ円弧状に移動する。
【００３９】
＜先羽根駆動レバー８１及び後羽根駆動レバー８２＞
先羽根駆動レバー８１及び後羽根駆動レバー８２は、地板１の側方部に一部または全部が配置された駆動部８の一部である。先羽根駆動レバー８１及び後羽根駆動レバー８２は、それぞれ地板１に形成された貫通孔２１及び２２の領域を移動する。駆動部８は、外部から与えられる電力によって動作して、先羽根駆動レバー８１及び後羽根駆動レバー８２に動力を伝達する。先羽根駆動レバー８１及び後羽根駆動レバー８２は、それぞれ先羽根用アーム６１及び６２、並びに後羽根用アーム７１及び７２を介して、先羽根４及び後羽根５を駆動する。駆動部８は、例えば、永久磁石、ヨーク、コイル、及びコイルばねなどを含み、与えられた電力によって動作する、従来から知られる電磁アクチュエータなどを含む。また、駆動部８はモータを含んでいてもよい。
【００４０】
本実施形態のフォーカルプレンシャッタは、平面視で開口部１ａ、２ａ及び３ａ（露光開口）の内側の位置であって、被写体とは逆側（光軸方向後方）に撮像素子を備える撮像装置（カメラ）に用いられる。撮像素子は、フォーカルプレンシャッタにおいて地板１よりもカバー板２に近い位置の、基板上に搭載される。撮像素子は、例えばＣＭＯＳセンサ、またはＣＣＤなどの光電変換素子である。なお、撮像素子は本発明の「撮像部」の一構成例である。
【００４１】
上記本実施形態のフォーカルプレンシャッタは、上記のように、先羽根用アーム６１及び６２、並びに後羽根用アーム７１及び７２の連結具の移動軌跡に沿って、この移動軌跡の側方に配置された粘着剤９ａ〜９ｍを有する構成としている。この粘着剤９ａ〜９ｍにより、羽根の動作の際の摩擦などによって発生した塵埃を捕獲することが可能となる。これによって、塵埃が飛散して撮像素子に付着し、画質が低下することを防止することなどが可能となっている。
【００４２】
また、本実施形態のフォーカルプレンシャッタでは、粘着剤９ａ〜９ｍが溝部に配置されている構成としているため、粘着剤９ａ〜９ｍが他の部材に付着することを抑制することなどが可能となっている。
【００４３】
また、本実施形態のフォーカルプレンシャッタでは、粘着剤９ａ〜９ｍが溝部から突出しないよう配置されているため、粘着剤９ａ〜９ｍが他の部材に付着することを、より効果的に抑制することが可能になっている。
【００４４】
また、本実施形態のフォーカルプレンシャッタでは、粘着剤９ａ〜９ｍが、隣り合って配置された連結具の間に配置されているため、これらの連結具が他の部材と摺動することなどで発生する塵埃を効果的に捕獲可能な構成となっている。
【００４５】
また、本実施形態のフォーカルプレンシャッタでは、粘着剤９ａ〜９ｍが、先羽根用アーム６１及び６２、並びに後羽根用アーム７１及び７２の全ての連結具の移動軌跡の側方において、開口部１ａ及び２ａと干渉しない位置に配置されている。そのため、粘着剤９ａ〜９ｍを広い範囲で配置することとなり、より効果的に塵埃を捕獲可能な構成となっている。
【００４６】
＜２．変形例＞
次に、図５〜図７を参照しながら、本発明の変形例について説明する。以下の変形例は、上記の実施形態に対して一部を変形した構成であって、特に説明しない構成については実施形態と同様である。また、以下で説明する変形例は、例示としての変形例であって、本発明はこれらの変形例に限定されることなく当業者が理解可能な範囲において広く解釈されるものである。
【００４７】
図５は、実施形態の一変形例を示す図であって、フォーカルプレンシャッタにおける連結具近傍の断面図である。図５は、実施形態における図３に対応している。図５に示されるように、本実施形態の粘着剤９ｎ〜９ｑは、それぞれ実施形態における粘着剤９ｂ、９ｃ、９ｊ、及び９ｋに対応するが、溝部ではなく、地板１及びカバー板２の羽根室側の面に直接配置されている。
【００４８】
本変形例のように粘着剤９ｎ〜９ｑを配置した場合であっても、塵埃の捕獲に一定の効果を得ることができる。本変形例の構成では、地板１及びカバー板２に溝部を形成する必要がないため、比較的容易に地板１及びカバー板２を形成することができる。一方で、実施形態のように溝部を形成する構成は、他の部材に粘着剤が付着することなどを抑制できる点で好ましい。
【００４９】
図６は、実施形態の一変形例を示す図であって、フォーカルプレンシャッタの平面図である。図６は、実施形態における図１に対応している。図６に示されるように、本変形例のフォーカルプレンシャッタは、先羽根４を有さない構成となっており、先羽根４に連結される先羽根用アーム６１及び６２などを有さない構成となっている。このように、後羽根５のみを有する構成であっても、粘着剤９ａ〜９ｅを配置することで、塵埃を捕獲することができる。
【００５０】
図７は、実施形態の一変形例を示す図であって、フォーカルプレンシャッタの平面図である。図７は、実施形態における図１に対応している。図７に示されるように、本変形例のフォーカルプレンシャッタは、後羽根５を有さない構成となっており、後羽根５に連結される後羽根用アーム７１及び７２などを有さない構成となっている。このように、先羽根４のみを有する構成であっても、粘着剤９ｆ〜９ｍを配置することで、塵埃を捕獲することができる。
【００５１】
上記２変形例に示されたように、本発明の構成は、先羽根４または後羽根５のいずれか一方のみを有するフォーカルプレンシャッタにおいても適用可能である。また、先羽根４及び後羽根５を含む構成であって、いずれか一方についてのみ粘着剤を配置した構成としてもよく、この場合であっても塵埃の捕獲に一定の効果を得ることができる。
【００５２】
＜３．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００５３】
上記の実施形態のフォーカルプレンシャッタでは、中間板３を有する構成例を説明したが、中間板３を有さない構成を採用してもよい。
【００５４】
また、上記の実施形態において溝部に配置される粘着剤は、静電性を備えることで塵を付着させる素材のものを採用してもよい。ただし、摩耗粉やゴミなどを吸着する能力に比較的優れている粘着剤を用いることが好ましい。
【００５５】
上記実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であってもよい。
【産業上の利用可能性】
【００５６】
本発明は、デジタルカメラなどの撮像装置のフォーカルプレンシャッタなどとして好適に適用される。
【符号の説明】
【００５７】
１…地板
１ａ開口部
２…カバー板
２ａ…開口部
３…中間板
３ａ…開口部
４…先羽根
５…後羽根
６１、６２…先羽根用アーム
６１ａ、６２ａ…軸
６３…連結具
７１、７２…後羽根用アーム
７１ａ、７２ａ…軸
７３…連結具
８…駆動部
８１…先羽根駆動レバー
８２…後羽根駆動レバー
９ａ〜９ｑ…粘着剤
【図１】
2019066686.tif 000003
【図２】
2019066686.tif 000004
【図３】
2019066686.tif 000005
【図４】
2019066686.tif 000006
【図５】
2019066686.tif 000007
【図６】
2019066686.tif 000008
【図７】
2019066686.tif 000009